(57)【要約】【課題】掌、手の甲、指先および指間部をはじめ、手指の指紋、爪と皮膚との間などに入り込んでいるウイルス、菌、汚れなどを効率よく容易に除去することができる手指洗浄用ハンドブラシを提供すること。【解決手段】ヒトの人差し指、中指、薬指および小指のうちの少なくともいずれかに貫通させて使用される手指洗浄用ハンドブラシ１であって、手指が貫通する円筒状のブラシ本体２および複数本のブリッスル３を有し、ブラシ本体２の掌側にブリッスル３が植毛されていることを特徴とする。【選択図】図１
0003231854.tif 000002
【実用新案登録請求の範囲】
【請求項１】
ヒトの人差し指、中指、薬指および小指のうちの少なくともいずれかに貫通させて使用される手指洗浄用ハンドブラシであって、手指が貫通する円筒状のブラシ本体および複数本のブリッスルを有し、前記ブラシ本体の掌側に前記ブリッスルが植毛されていることを特徴とする手指洗浄用ハンドブラシ。
【請求項２】
２〜４本のブラシ本体が当該ブラシ本体の側面で連結されてなり、各ブラシ本体の掌側に複数本のブリッスルが植毛されている請求項１に記載の手指洗浄用ハンドブラシ。
【考案の詳細な説明】
【技術分野】
【０００１】
本考案は、手指洗浄用ハンドブラシに関する。さらに詳しくは、本考案は、ヒトの手指をはじめ、掌（手の平）、手の甲などの洗浄に使用される手指洗浄用ハンドブラシに関する。本考案の手指洗浄用ハンドブラシは、それぞれ両手に装着して手洗いをするときに好適に使用することができる。
【背景技術】
【０００２】
新型コロナウイルスが流行している昨今、例えば、扉のドアノブ、電車の吊革などに接触することによってヒトの手指にウイルスが付着するおそれがあることから、ウイルスなどによる感染症対策として手洗いが励行されている。
【０００３】
しかし、一般に推奨されている手洗いの方法は、流水で手指を濡らした後、当該手指に石鹸液を付着させ、掌、手の甲、指先、指間部を洗う方法であり、手指の表面に付着しているウイルスおよび汚れを除去することができたとしても、例えば、手指の指紋、爪と皮膚との間などに入り込んでいるウイルス、菌、汚れなどを十分に洗い落とすことができない。
【０００４】
そこで、ヒトの手指をアルコール消毒液、次亜塩素酸消毒液などの消毒液で洗浄することが考えられるが、化学物質過敏症を有する者が当該消毒液を使用することは、適切なことではない。
【０００５】
近年、爪先部分を洗浄することができる手指洗浄用補助具として、スポンジを取り付けるための支軸部分を有し、当該支軸部分に爪先および手指の洗浄を補助するスポンジ部分が取り付けられ、当該スポンジ部分にスキン層を有しない無膜のポリウレタンフォーム圧縮部分が取り付けられている手指洗浄用補助具が提案されている（例えば、特許文献１参照）。
【０００６】
しかし、前記手指洗浄用補助具には、手指の洗浄部分がスポンジ部分であるため、手指の指紋、爪と皮膚の間などに入り込んでいるウイルス、菌、汚れなどを十分に洗い落とすことができず、また一方の手で手指洗浄用補助具を握り、他方の手の手指を当該手指洗浄用補助具で洗浄する必要があることから、握力が低下している高齢者などにとって当該手指洗浄用補助具を用いて手指を洗浄することが煩雑であり、困難となることがある。
【先行技術文献】
【特許文献】
【０００７】
【特許文献１】特開２０１９−７２２８９号公報
【考案の概要】
【考案が解決しようとする課題】
【０００８】
本考案は、前記従来技術に鑑みてなされたものであり、掌、手の甲、指先および指間部をはじめ、手指の指紋、爪と皮膚との間などに入り込んでいるウイルス、菌、汚れなどを効率よく容易に除去することができる手指洗浄用ハンドブラシを提供することを課題とする。
【課題を解決するための手段】
【０００９】
本考案は、
（１）  ヒトの人差し指、中指、薬指および小指のうちの少なくともいずれかに貫通させて使用される手指洗浄用ハンドブラシであって、手指が貫通する円筒状のブラシ本体および複数本のブリッスルを有し、前記ブラシ本体の掌側に前記ブリッスルが植毛されていることを特徴とする手指洗浄用ハンドブラシ、および
（２）  ２〜４本のブラシ本体が当該ブラシ本体の側面で連結されてなり、各ブラシ本体の掌側に複数本のブリッスルが植毛されている前記（１）に記載の手指洗浄用ハンドブラシ
に関する。
【考案の効果】
【００１０】
本考案によれば、掌、手の甲、指先および指間部をはじめ、手指の指紋、爪と皮膚との間などに入り込んでいるウイルス、菌、汚れなどを効率よく容易に除去することができる手指洗浄用ハンドブラシが提供される。
【図面の簡単な説明】
【００１１】
【図１】本考案の手指洗浄用ハンドブラシの一実施態様を示す概略説明図である。
【図２】本考案の手指洗浄用ハンドブラシがヒトの手指の人差し指に挿入されているときの一実施態様を示す概略斜視図である。
【図３】４個のブラシ本体が各ブラシ本体の側面で連結され、各ブラシ本体の掌側に複数本のブリッスルが植毛されている本考案の手指洗浄用ハンドブラシの一実施態様を示す概略斜視図である。
【図４】本考案の手指洗浄用ハンドブラシの一部破断概略平面図である。
【考案を実施するための形態】
【００１２】
本考案の手指洗浄用ハンドブラシは、前記したように、ヒトの人差し指、中指、薬指および小指のうちの少なくともいずれかに貫通させて使用される手指洗浄用ハンドブラシである。本考案の手指洗浄用ハンドブラシは、手指が貫通する円筒状のブラシ本体および複数本のブリッスル（フィラメント）を有し、前記ブラシ本体の掌側に前記ブリッスルが植毛されていることを特徴とする。本考案の手指洗浄用ハンドブラシは前記特徴を有することから、本考案の手指洗浄用ハンドブラシを用いることにより、掌、手の甲、指先および指間部をはじめ、手指の指紋、爪と皮膚との間などに入り込んでいるウイルス、菌、汚れなどを効率よく容易に除去することができる。
【００１３】
以下に本考案の手指洗浄用ハンドブラシを図面に基づいて詳細に説明するが、本考案は、当該図面に記載の実施態様のみに限定されるものではない。
【００１４】
図１は、本考案の手指洗浄用ハンドブラシの一実施態様を示す概略斜視図である。図１に示される手指洗浄用ハンドブラシ１は、ヒトの手指（図示せず）が貫通する円筒状のブラシ本体２および複数本のブリッスル３を有する。手指洗浄用ハンドブラシ１は、ブラシ本体２の内部空間に手指を貫通させることによって使用される。
【００１５】
図１に示される手指洗浄用ハンドブラシ１は、掌、手の甲、指先および指間部をはじめ、手指の指紋、爪と皮膚との間などに入り込んでいるウイルス、菌、汚れなどを効率よく容易に除去する観点から、ヒトの人差し指、中指、薬指および小指のうちの少なくともいずれかかに装着することが好ましく、人差し指、中指および薬指のいずれかに装着することがより好ましく、中指および薬指のいずれかに装着することがさらに好ましい。
【００１６】
ブラシ本体２の材質としては、例えば、アルミニウム、ステンレス鋼、銅、真鍮、ニッケル、鉄などの金属；塩化ビニル樹脂、ポリエチレン、ポリプロピレンなどのポリオレフィン系樹脂、ポリアミド６（ナイロン６）、ポリアミド６６（ナイロン６６）などのポリアミド、ＡＢＳ樹脂、ＡＳ樹脂、ポリカーボネート、ポリエチレンテレフタレート、ポリブチレンテレフタレートなどのポリエステル、ポリスチレンなどの樹脂；シリコーンゴム、アクリロニトリル−ブタジエンゴムなどのゴム；皮革；人工皮革；織布、不織布、織物などの繊維などが挙げられるが、本考案は、かかる例示のみに限定されるものではない。これらのなかでは、可撓性を有し、指を折り曲げたときに追随しやすくするとともに、軽量化を図り、手指の洗浄時に水に濡れることを考慮すれば、塩化ビニル樹脂、ポリプロピレンなどの可撓性を有する樹脂およびシリコーンゴムなどのゴムが好ましい。
【００１７】
ブラシ本体２の長さＬおよび幅Ｗは、ヒトの指の長さおよび太さによって異なるので一概には決定することができない。したがって、種々のヒトの手指の長さおよび太さに対応することができるようにするために、種々の長さＬおよび幅Ｗを有するブラシ本体２を複数用意しておくことが好ましい。より具体的には、例えば、ブラシ本体２として成人の男性または女性の人差し指、中指など指の長さおよび太さに対応するブラシ本体、子供の人差し指、中指など指の長さおよび太さに対応するブラシ本体などを用意しておくことが好ましい。ブラシ本体２の長さおよび内径は、特に限定されないが、例えば、手指洗浄用ハンドブラシ１を指の基節部分に装着する場合には、当該基節部分の長さの範囲内に収まる長さおよび当該基節部分を挿入することができる内径を有することが好ましい。
【００１８】
手指洗浄用ハンドブラシ１を基節または中節に装着する場合、ブラシ本体２の長さＬは、通常、１０〜３０ｍｍの範囲内であり、ブラシ本体２の平面方向の幅Ｗは、通常、８〜３０ｍｍの範囲内である。また、手指洗浄用ハンドブラシ１を基節および中節に跨らせて装着する場合、ブラシ本体２の長さＬは、通常、２０〜５５ｍｍの範囲内であり、ブラシ本体２の幅Ｗは、通常、８〜３０ｍｍの範囲内である。
【００１９】
ブリッスル３は、ブラシ本体２のヒトの掌側に植毛されている。ブリッスル３に使用される材料としては、例えば、塩化ビニル樹脂、ポリプロピレンなどのポリオレフィン系樹脂、ポリアミド６（ナイロン６）、ポリアミド６６（ナイロン６６）などのポリアミド、ＡＢＳ樹脂、ＡＳ樹脂、ポリカーボネート、ポリエチレンテレフタレート、ポリブチレンテレフタレートなどのポリエステル、ポリスチレンなどの樹脂、シリコーンゴム、アクリロニトリル−ブタジエンゴムなどのゴムなどが挙げられるが、本考案は、かかる例示のみに限定されるものではない。
【００２０】
ブラシ本体２の表面からのブリッスル３の長さは、掌、手の甲、指先および指間部をはじめ、手指の指紋、爪と皮膚との間などに入り込んでいるウイルス、菌、汚れなどを効率よく容易に除去する観点から、好ましくは８〜２５ｍｍ、より好ましくは１０〜２０ｍｍ、さらに好ましくは１２〜１８ｍｍである。
【００２１】
ブリッスル３の直径（繊維径）は、ブリッスル３に使用される材料によって異なるので一概には決定することができないが、掌、手の甲、指先および指間部をはじめ、手指の指紋、爪と皮膚との間などに入り込んでいるウイルス、菌、汚れなどを効率よく容易に除去する観点から、好ましくは０．０５〜０．８ｍｍ、より好ましくは０．１〜０．６ｍｍ、さらに好ましくは０．１５〜０．５ｍｍである。
【００２２】
植毛されているブリッスル３の先端部の形状は、鋭角を有し、テーパ状に尖っていてもよく、球形であってもよいが、掌、手の甲、指先および指間部をはじめ、手指の指紋、爪と皮膚との間などに入り込んでいるウイルス、菌、汚れなどを効率よく容易に除去するとともに手指洗浄用ハンドブラシ１の使用性を向上させる観点から、鋭角を有し、テーパ状に尖っていることが好ましい。
【００２３】
ブリッスル３をブラシ本体２に植毛する方法としては、例えば、ブラシ本体２を成形するための成形型内にブリッスル３の植毛部分を装着し、当該成形型内にブラシ本体２を成形するための溶融樹脂を充填することによって植毛する方法、ブリッスル３の植毛部分を加熱溶融させ、加熱溶融した植毛部分をブラシ本体２の植毛用凹部に挿入し、当該端部とブラシ本体２とを融着一体化させて植毛する方法、ブリッスル３の植毛部分を接着剤でブラシ本体２と一体化させて植毛する方法などが挙げられるが、本考案は、かかる例示のみに限定されるものではない。
【００２４】
ブラシ本体２にブリッスル３が植毛されている領域は、ヒトの掌側に存在する。しかし、必要により、ブリッスル３は、ブラシ本体２のヒトの掌側以外の領域にも植毛されていてもよい。
【００２５】
ブリッスル３が植毛されている領域の長さＲは、ブラシ本体２の長さＬによって異なるので一概には決定することができないが、掌、手の甲、指先および指間部をはじめ、手指の指紋、爪と皮膚との間などに入り込んでいるウイルス、菌、汚れなどを効率よく容易に除去する観点から、好ましくは８〜２５ｍｍ、より好ましくは１０〜１８ｍｍである。また、ブラシ本体２のヒトの掌側にブリッスル３が植毛されている領域の平面方向の幅（ブリッスル３が植毛されている領域の平面方向の長さＲに対して直角方向の長さ）は、掌、手の甲、指先および指間部をはじめ、手指の指紋、爪と皮膚との間などに入り込んでいるウイルス、菌、汚れなどを効率よく容易に除去するとともに、手指洗浄用ハンドブラシ１の使用性を向上させる観点から、好ましくは５〜１５ｍｍ、より好ましくは８〜１２ｍｍである。
【００２６】
ブリッスル３が植毛されている領域の形状は、特に限定されない。当該領域の形状としては、例えば、正方形、長方形、円形、楕円形などが挙げられるが、本考案は、かかる形状によって限定されるものではない。図１においては、ブリッスル３が植毛されている領域の形状が長方形であるときの手指洗浄用ハンドブラシ１が図示されている。
【００２７】
ブラシ本体２にブリッスル３が植毛されている領域において、ブリッスル３が占有している面積の比率（占有面積率）は、特に限定されないが、掌、手の甲、指先および指間部をはじめ、手指の指紋、爪と皮膚との間などに入り込んでいるウイルス、菌、汚れなどを効率よく容易に除去するとともに手指洗浄用ハンドブラシ１の使用性を向上させる観点から、好ましくは６０〜９０％、より好ましくは６５〜８５％である。
【００２８】
以上のようにして構成される手指洗浄用ハンドブラシ１の大きさは、ヒトの手指に応じて作製される。
【００２９】
手指洗浄用ハンドブラシ１は、例えば、図２に示されるようにヒトの手指８に挿入し、所望の位置に配置することができる。なお、図２は、本考案の手指洗浄用ハンドブラシがヒトの手指の人差し指８ａに挿入されているときの一実施態様を示す概略斜視図である。
【００３０】
ヒトの手指８において手指洗浄用ハンドブラシ１を配置する位置は、特に限定されない。例えば、図２に示されるように中節であってもよく、末節または基節であってもよいが、手指洗浄用ハンドブラシ１の使用性を向上させる観点から、基節または中節であるか、または基節と中節との双方であることが好ましい。
【００３１】
手指洗浄用ハンドブラシ１として、図１および図２に示されるように、１個のブラシ本体２が使用されている手指洗浄用ハンドブラシ１を用いることができる。
【００３２】
また、図３に示されるように、例えば、４個のブラシ本体２がその側面で連結され、各ブラシ本体２の掌側に複数本のブリッスル３がそれぞれ植毛されていてもよい。なお、図３は、４個のブラシ本体２が各ブラシ本体２の側面で連結され、各ブラシ本体２の掌側に複数本のブリッスル３が植毛されている手指洗浄用ハンドブラシ１の一実施態様を示す概略斜視図である。
【００３３】
図３に示されるように、複数本のブラシ本体２がその側面で連結され、各ブラシ本体２の掌側に複数本のブリッスル３がそれぞれ植毛されている手指洗浄用ハンドブラシ１を用いた場合には、掌、手の甲、指先および指間部をはじめ、手指の指紋、爪と皮膚との間などに入り込んでいるウイルス、菌、汚れなどを効率よく容易に除去することができる。
【００３４】
図３に示される実施態様では、４個のブラシ本体２が各ブラシ本体２の側面で連結されているが、ブラシ本体２の個数は、図３に示されるように４個であってもよく、２個であってもよく、３個であってもよい。手指洗浄用ハンドブラシ１に使用されるブラシ本体２の数は、掌、手の甲、指先および指間部をはじめ、手指の指紋、爪と皮膚との間などに入り込んでいるウイルス、菌、汚れなどを効率よく容易に除去することができるようにする観点から、３個または４個であることが好ましく、４個であることがさらに好ましい。複数本のブラシ本体２がその側面で連結されている手指洗浄用ハンドブラシ１を用いる場合、３個のブラシ本体２が連結されている手指洗浄用ハンドブラシ１をヒトの人差し指、中指および薬指に装着するか、または４個のブラシ本体２が連結されている手指洗浄用ハンドブラシ１をヒトの人差し指、中指、薬指および小指に装着することが好ましく、４個のブラシ本体２が連結されている手指洗浄用ハンドブラシ１をヒトの人差し指、中指、薬指および小指に装着することがより好ましい。
【００３５】
図３に示される手指洗浄用ハンドブラシ１では、ブラシ本体２同士が一体となって成形されているが、各ブラシ本体２をそれぞれ別個独立に成形しておき、例えば、図４に示されるように、一方のブラシ本体２ａと他方のブラシ本体２ｂとの接続部で、一方のブラシ本体２ａに形成されている凸部４ａと他方のブラシ本体２ｂに形成されている凹部４ｂとをスライドさせることによってブラシ本体２ａとブラシ本体２ｂとを嵌め合わせて連結させることができる。なお、図４は、手指洗浄用ハンドブラシ１の一部破断概略平面図である。
【００３６】
図４に示されるように、一方のブラシ本体２ａの凸部４ａと他方のブラシ本体２ｂの凹部４ｂとをスライドさせることによって嵌め合わせて連結させることができるようにした場合、個々の手指の長さおよび太さに応じた手指洗浄用ハンドブラシ１を適宜交換することができる。したがって、個々の手指の大きさに適した手指洗浄用ハンドブラシ１を選択して組合せて連結することにより、そのヒトの手指に適した手指洗浄用ハンドブラシ１を用意することができる。
【００３７】
手指洗浄用ハンドブラシ１は、一方の手に装着して他方の手の手指を洗浄してもよく、両手に装着して両手の手指を洗浄してもよい。これらのなかでは、手指洗浄用ハンドブラシ１は、ヒトの両手にそれぞれ装着して手洗いする際に好適に使用することができる。手指洗浄用ハンドブラシ１を両手にそれぞれ装着し、両手の手指を洗浄した場合、一方の手に装着した手指洗浄用ハンドブラシ１のブリッスル３で他方の手の掌、手の甲、指先および指間部をはじめ、手指の指紋、爪と皮膚との間などに入り込んでいるウイルス、菌、汚れなどを除去した後、他方の手に装着した手指洗浄用ハンドブラシ１のブリッスル３で一方の手の掌、手の甲、指先および指間部をはじめ、手指の指紋、爪と皮膚との間などに入り込んでいるウイルス、菌、汚れなどを除去することができるので、両手の手指に付着しているウイルス、菌、汚れなどを効率よく容易に除去することができる。
【００３８】
したがって、本考案の手指洗浄用ハンドブラシ１は、掌、手の甲、指先および指間部をはじめ、手指の指紋、爪と皮膚との間などに入り込んでいるウイルス、菌、汚れなどを効率よく容易に除去することができることから、例えば、新型コロナウイルスなどに対する感染予防対策として、一般家庭のみならず、保育所、幼稚園、各種学校、公共施設、各種職場などで好適に使用することができる。
【符号の説明】
【００３９】
１    手指洗浄用ハンドブラシ
２    ブラシ本体
３    ブリッスル
４ａ  ブラシ本体に形成されている凸部
４ｂ  ブラシ本体に形成されている凹部
【図１】
0003231854.tif 000003
【図２】
0003231854.tif 000004
【図３】
0003231854.tif 000005
【図４】
0003231854.tif 000006